(57)【要約】【課題】重量物を載置する枠体の上部両側に設けた平面視平行する対の担ぎ棒を複数の担ぎ手が担持した場合に、担ぎ手の身長等に応じて左右の担ぎ棒がその傾斜を異にして、安定した状態を保つことが出来るようにする。【解決手段】重量物上部に設けた各担ぎ棒をそれぞれ複数の担ぎ手が担ぐことにより階段等を持ち上げるものであるが、担ぎ手の身長等により左右の担ぎ棒の水平に対する角度が適宜変化することを可能にするため、重量物積載用枠体の上部両側にそれぞれ別個に移動可能に担ぎ棒を枢支している。また、担ぎ棒は側面視一字形をなした直線状のもの或いは中央枢支位置を上方に突出したへ字状とし、重量物積載用枠体の枢支位置を上昇させる構成としても良い。そして、担ぎ棒は担ぎ手の人数に応じて長くするために、端部において伸張用バーを挿入することを可能とした管状体としている。【選択図】図１
0003138774.tif 000002
【実用新案登録請求の範囲】
【請求項１】
重量物積載用枠体の上部両側に、それぞれ別個に揺動可能に担ぎ棒を枢支したことを特徴とする重量物担持移動装置。
【請求項２】
担ぎ棒は側面視一字状の直線をなしていることを特徴とする請求項１記載の重量物担持移動装置。
【請求項３】
担ぎ棒は、中央枢支位置において側面視へ字状に屈折し枢支位置を上方に突出していることを特徴とする請求項１記載の重量物担持移動装置。
【請求項４】
担ぎ棒は、その端部において伸長用バーを挿入することを可能とした管状体であることを特徴とする請求項１記載の重量物担持移動装置。
【考案の詳細な説明】
【技術分野】
【０００１】
本考案は、重量物を人手により傾斜路或いは階段等を安全に搬送することの出来る重量物担持移動装置に関する。
【背景技術】
【０００２】
重量物を短区間移動するような場合、例えばトラック等から降ろされた重量物は台車等により移動するが、平面上の移動は可能であるが、平面上の移動でも傾斜がきつくなり或いは階段状になると台車での搬送は出来なくなる。そのために、階段部分に台車等の車輪間隔に適合するガイドレールを置きガイドレールにより台車を案内する重量物運搬装置（特許文献１，２参照）が知られている。
【０００３】
然し、これらの装置ではガイドレールの配置等を行なわねばならず、常時当該階段等で搬入搬出が行われているのでなければ適した手法とは云えない。
そこで、階段等の車椅子の移動のために、平行する２本の担ぎ棒とその連結棒とにより長ロ字状枠体よりなる担ぎ棒を構成し該枠体により車椅子を担持し、枠体の前後に配した最少２人の者が枠体を持つことで階段等を昇降する車椅子運搬具（特許文献３）が考えられている。然し、この車椅子運搬具は、ロ字状の枠体を構成する平行する２本の担ぎ棒とそれを連結する連結棒とが一体に固定されているために、担ぎ棒は常に平行の状態に置かれなければ安定した搬送は出来ない。
【０００４】
然しながら、重量物を担持搬送する場合複数の多人数で重量物積載用枠体を支えなければならず、そのため必ずしも両側の対の担ぎ棒が傾斜に対して同角度とはならないことも必要である。
【特許文献１】実公平５−３７９８９号公報
【特許文献２】特開昭５８−１３５０８２号公報
【特許文献３】特開２００４−２１５７３３号公報
【考案の開示】
【考案が解決しようとする課題】
【０００５】
本考案は、重量物を担持して搬送するため、重量物を載置する枠体の上部両側に設けた平面視平行する対の担ぎ棒を複数の担ぎ手が担持した場合に、担ぎ手の身長等に応じて左右の担ぎ棒がその傾斜を異にして、安定した状態を保って担持移送することが出来るようにする。
【課題を解決するための手段】
【０００６】
本考案重量物担持移動装置は、重量物両側に設けた各担ぎ棒をそれぞれ複数の担ぎ手が担ぐことにより階段等を持ち上げるものであるが、担ぎ手の身長等により左右の担ぎ棒の水平に対する角度が適宜変化することを可能にするため、重量物積載用枠体の上部両側にそれぞれ別個に揺動可能に担ぎ棒を枢支している。
担ぎ棒は側面視一字形をなした直線状のもの或いは中央枢支位置を上方に突出したへ字状とし、重量物積載用枠体の枢支位置を上昇させる構成としても良い。
担ぎ棒は担ぎ手の人数に応じて長くするために、担ぎ棒端部において伸張用バーを挿入することを可能とした管状体としている。
【考案の効果】
【０００７】
本考案重量物担持移動装置は、重量物積載用枠体の上部両側に、それぞれ別個に移動可能に担ぎ棒を枢支したために、重量物積載用枠体の両側に設けてある担ぎ棒の水平に対する角度を異ならせて担ぐことが可能となり、左右の担ぎ棒を担持する作業者の身長等に前後で差異があっても前記角度を変化させることで重量物積載用枠体を安定して支持することが可能となる。
【０００８】
重量物積載用枠体の上部両側に設けた担ぎ棒は中央枢支位置において側面視へ字状に屈折させて枢支位置を上方に突出すれば、重量物積載用枠体の支持位置が上方に移動し枠体の床下空間が大となり障害物に対しての安全性を高められる。
【０００９】
担ぎ棒は、その端部において伸張用バーを挿入することを可能にした管状体で構成されているため、重量物を搬送する際、更に人手を要するときは伸張用バーを挿入すれば担ぎ手を増員することも出来る。
【００１０】
更に、移動途中において、例えば階段等の踊り場等の狭い場所で担ぎ棒の長さが長く重量物積載用枠体を回す事が出来ないような場合、伸長用バーを総て抜き取って、平面視前後の長さを短くすれば狭い場所でも容易に重量物積載用枠体の向きを変えることが出来る。
【考案を実施するための最良の形態】
【００１１】
本考案の重量物担持移動装置の実施形態を図面と共に説明する。
図１は正面図、図２は平面図、図３は左側面図、図４は担ぎ棒の他の例を示す側面図、図５は移動状態の概略側面図である。
本考案重量物担持移動装置１は、重量物積載用枠体２の上部両側にそれぞれ別個に揺動可能に担ぎ棒３を軸４により枢支してなる。重量物積載用枠体２は床板５の４隅に立設した柱状体６及びその間に架け渡した梁７とにより組み立てられた長４角形の立方体で、天井板は設けられておらず被搬送物の高さによっては重量物積載用枠体２から被搬送物の頂部が突出することになる。重量物積載用枠体２への被搬送物の出し入れは、図２，３において矢印で示す出し入れ口８から行なわれる。
【００１２】
搬送物の出し入れの際には、図２，３に示す枠体２の出し入れ口８側に設けられた支持部材９，９間に渡したストッパー１０を外し、枠体２内に被搬送物を搬入し床板５上に載置する。平面視コ字状をなし開口部を出し入れ口８とした枠体２の、前記出し入れ口を除く３面に移動時、枠体２の動きを防ぎ或いは取り扱いを容易とするために手摺１１，１１，１１を設ける
【００１３】
前述の如く枠体２の最上部の平行する２本の梁７，７に軸４によって担ぎ棒３を枢支している。１２は担ぎ棒３と軸４の間に介在させた支持腕である。図２乃至４に示す例では担ぎ棒３は支持腕１２を設けた位置を屈折点として側面視へ字状に屈曲している。担ぎ棒３は筒状体よりなりその中に伸長用バー１３を挿入している。伸長用バー１３は担ぎ手の人数に応じて所定の長さのものを担ぎ棒３に挿入して多人数でも荷をかつげるようにしている。
【００１４】
図２〜４に示す担ぎ棒３は中央部が上方に山形に突出しているために、重量物積載用枠体２を担持するとき枠体２を前後突出した分だけ上位に持ち上げることが出来る。
図４に示す担ぎ棒３は直線状となっているため重量物積載用枠体を低く支えることが可能で、此の場合安定した状態で搬送することが出来る。図４に示す例でも担ぎ棒は筒状体とし伸長用バー１３を挿入することも可能としている。
【００１５】
本考案の重量物担持移動装置１により搬送を行なう際は、図５に示す如く、重量物積載用枠体２の両側の担ぎ棒３，３のそれぞれの前後に（図５に示す例では両側のそれぞれの担ぎ棒の前後に１人宛）配し計４人で重量物担持移動装置１を支えている。ここで上記４人の背丈を見るとＡ，Ｂの２人はほぼ同じであるが、ＣはＡ，Ｂより低くＤは高い。そのために、Ａ，Ｂの２人によって担持されている担ぎ棒３ａはほぼ階段の傾斜と同じ角度で重量物積載用枠体２を支えているが、Ｃ，Ｄの２人によって担持されている担ぎ棒３ｂはＣの背丈が低くＤが高いため前下がりの状態を呈し、階段部分では水平状態となっている。然し重量物積載用枠体２を支えるのにはこの左右の担ぎ棒３の角度が揃わず担ぎ手の背丈に対して合った角度を保つのが好ましい。
【００１６】
この状態は左右の担ぎ棒３が互いに連結固定されておらずそれぞれ別個に揺動するために発揮することが出来るのであって、左右両側の担ぎ棒３ａ，３ｂが連結棒等で一体となっている場合には、このような動きは生じない。
【００１７】
本考案重量物担持移動装置１によって搬送途中において、搬送方向を変えたいが場所が狭いというような際には担ぎ棒３に挿し込んである伸長用バー１３を引き抜くことで回転半径を少なく容易に方向を変えることが出来る。
【産業上の利用可能性】
【００１８】
上記したように本考案重量物担持移動装置は、担ぎ手により担がれて移動するが、重量物積載用枠体を支える一対の担ぎ棒を左右にそれぞれ個別に揺動可能に枢支したことにより担ぎ手の背丈に関係なく個別に担持角度が変えられ、安定して担持搬送することに寄与している。
【図面の簡単な説明】
【００１９】
【図１】本考案重量物担持移動装置。
【図２】同平面図。
【図３】同左側面図。
【図４】担ぎ棒の他の例を示す側面図。
【図５】移動状態の概略側面図。
【符号の説明】
【００２０】
１  重量物担持移動装置
２  重量物積載用枠体
３  担ぎ棒
４  軸
５  床板
６  柱状体
７  梁
８  出し入れ口
９  支持部材
１０  ストッパー
１１  手摺
１２  支持腕
１３  伸長用バー
【図１】
0003138774.tif 000003
【図２】
0003138774.tif 000004
【図３】
0003138774.tif 000005
【図４】
0003138774.tif 000006
【図５】
0003138774.tif 000007